(57)【要約】      （修正有）【課題】侵入者が、電気錠装置のケーブルを切断し、切断箇所からケーブルの芯線に電圧を印加したとしてもモータが駆動されず、侵入者の不正侵入を防止する。【解決手段】使用者情報認証部１２と、扉内部に設置され、電気錠を施錠及び解錠するためのモータ３０と、正常に認証された場合に、電気錠を解錠するようにモータ３０を制御するために所定の制御信号を発生する制御部１３と、制御部１３からの制御信号に応じてモータを駆動するモータ駆動部１４と、制御部１３からの制御信号に応じて所定のパルス信号を発生するパルス発生部１５と、モータ３０の近傍に設けられ、モータ３０とモータ駆動部１４とを結ぶ電力線の少なくとも１つに直列接続されたスイッチ２２と、モータの近傍に設けられ、パルス発生部１５からのパルス信号を受信したときにのみスイッチ２２をオンさせるスイッチ制御部２３を備える。【選択図】図２
2009108645.tif 000002
【特許請求の範囲】
【請求項１】
扉付近に設置され、扉を開こうとする使用者に関する情報を認証する使用者情報認証部と、
前記扉に設置され、錠を施錠及び解錠するためのモータと、
前記使用者情報認証部により読み取られた使用者情報とあらかじめ設定されている使用者情報とを比較して解錠するか否かを判断し、解錠すると判断した場合に、前記電気錠を解錠するように前記モータを制御するために所定の制御信号を発生する制御部と、
前記制御部からの制御信号に応じて前記モータを駆動するモータ駆動部と、
前記制御部からの制御信号に応じて所定のパルス信号を発生するパルス発生部と、
前記モータの近傍に設けられ、前記モータと前記モータ駆動部とを結ぶ電力線の少なくとも１つに直列接続されたスイッチと、
前記モータの近傍に設けられ、前記パルス発生部からのパルス信号を受信したときにのみ前記スイッチをオンさせるスイッチ制御部を備えたことを特徴とする電気錠装置。
【請求項２】
少なくとも前記制御部、前記モータ駆動部及び前記パルス発生部は、同一の制御側基板上に設けられ、
前記スイッチ及び前記スイッチ制御部は、前記モータ近傍に設けられたモータ側基板上に設けられ、
前記制御側基板と前記モータ側基板とが、それぞれコネクタ及びケーブルを介して接続されていることを特徴とする請求項２に記載の電気錠装置。
【請求項３】
前記モータと前記モータ駆動部とを結ぶ電力線及び前記パルス発生部と前記スイッチ制御部を結ぶ信号線は、複数の電線を１つに束ねたワイヤーハーネスであることを特徴とする請求項１又は請求項２に記載の電気錠装置。
【請求項４】
扉付近に設置され、扉を開こうとする使用者に関する情報を認証する使用者情報認証部と、
前記扉に設置され、錠を施錠及び解錠するためのモータと、
前記使用者情報認証部により読み取られた使用者情報とあらかじめ設定されている使用者情報とを比較して解錠するか否かを判断し、解錠すると判断した場合に、前記電気錠を解錠するように前記モータを制御するために所定の制御信号を発生する制御部と、
前記制御部からの制御信号に応じて所定のパルス信号を発生するパルス発生部と、
前記モータの近傍に設けられ、前記制御部からの制御信号に応じてモータを駆動するモータ駆動部と、
前記モータ駆動部の近傍に設けられ、前記制御部と前記モータ駆動部とを結ぶ信号線の少なくとも１つに直列接続されたスイッチと、
前記モータの近傍に設けられ、前記パルス発生部からのパルス信号を受信したときにのみ前記スイッチをオンさせるスイッチ制御部を備えたことを特徴とする電気錠装置。
【請求項５】
少なくとも前記制御部及び前記パルス発生部は、同一の制御側基板に設けられ、
前記スイッチ、前記スイッチ制御部及び前記モータ駆動部は、前記モータ近傍に設けられたモータ側基板上に設けられ、
前記制御側基板と前記モータ側基板とが、それぞれコネクタ及びケーブルを介して接続されていることを特徴とする請求項４に記載の電気錠装置。
【請求項６】
前記制御部と前記モータ駆動部とを結ぶ信号線及び前記パルス発生部と前記スイッチ制御部を結ぶ信号線は、複数の電線を１つに束ねたワイヤーハーネス又は複数の電線を１つに束ねたフレキシブルフラットケーブルであることを特徴とする請求項４又は請求項５に記載の電気錠装置。
【請求項７】
前記制御信号は２ビット以上の信号であり、前記スイッチが設けられている信号線に接続された前記モータ駆動部の端子の電圧は、前記スイッチがオフの状態ではハイレベルであり、前記スイッチがオンしたときにローレベルになり、
前記モータ駆動部は、前記端子の電圧がローレベルになったときにのみ、前記電気錠を解錠する方向に前記モータを回転させることを特徴とする請求項４乃至請求項６のいずれか１項に記載の電気錠装置。
【発明の詳細な説明】
【技術分野】
【０００１】
本発明は、例えばマンションなどの建造物の個々の部屋の扉に設置される電気錠装置に関する。
【背景技術】
【０００２】
例えば特許文献１に記載されているように、従来からマンションやホテルなどの個々の部屋の扉に、磁気カードリーダなどを備えた電気錠装置が使用されている。ところで、よりセキュリティを高めるために、磁気カードなどの解錠鍵の他に暗証番号、指の指紋認証や静脈認証などを併用した電気錠装置が実用化されている。このような電気錠装置では、例えば扉の外側に設置された操作部から扉の内側に設置されたモータを駆動してサムターンを回転させ、電気錠の施錠及び解錠を行っている。従来の電気錠装置の構成を図４に示す。
【０００３】
図４に示す従来の電気錠装置は、操作部の内部に設置された制御側基板５０と、モータ７０側に設置されたモータ側基板６０で構成され、制御側基板５０とモータ側基板６０とをコネクタ５１及び６１とケーブル７１で接続している。制御側基板５０は、使用者情報認証部５２と、使用者情報認証部５２により読み取られた使用者情報とあらかじめ設定されている使用者情報とを比較して解錠するか否かを判断し、解錠すると判断した場合に、電気錠を解錠するためにモータの駆動を制御する制御部５３と、制御部５３からの制御信号に応じてモータを駆動するモータ駆動部５４などで構成されている。
【０００４】
一般的に、電気錠装置における施錠及び解錠は、モータ７０を正転及び反転させることにより行われる。電気錠は扉の内側の駆動部などに設置されるため、モータ７０としては、小型軽量で、かつ安価なＤＣモータなどが用いられており、モータ駆動部５４からケーブル７１を介して所定の駆動電力がモータ７０に供給される。
【０００５】
ところで、従来の電気錠装置では、侵入者が不正に電気錠を解錠して建造物の内部に侵入しようとする場合、操作部のハウジングを破壊し、ケーブル７１を切断して、切断箇所からケーブル７１の芯線に電池を接続し、所定の電圧を印加することによってモータを駆動し、電気錠を解錠することが可能であった。
【０００６】
【特許文献１】特開平８−２４００４５号公報
【発明の開示】
【発明が解決しようとする課題】
【０００７】
本発明は、上記従来例の問題を解決するためになされたものであり、侵入者が、ケーブルを切断し、切断箇所からケーブルの芯線に電池を接続して、電圧を印加したとしても、モータが駆動されず、侵入者の不正侵入を防止することが可能な電気錠装置を提供することを目的とする。
【課題を解決するための手段】
【０００８】
上記目的を達成するために請求項１の発明は、電気錠装置であって、
扉付近に設置され、扉を開こうとする使用者に関する情報を認証する使用者情報認証部と、
前記扉に設置され、錠を施錠及び解錠するためのモータと、
前記使用者情報認証部により読み取られた使用者情報とあらかじめ設定されている使用者情報とを比較して解錠するか否かを判断し、解錠すると判断した場合に、前記電気錠を解錠するように前記モータを制御するために所定の制御信号を発生する制御部と、
前記制御部からの制御信号に応じて前記モータを駆動するモータ駆動部と、
前記制御部からの制御信号に応じて所定のパルス信号を発生するパルス発生部と、
前記モータの近傍に設けられ、前記モータと前記モータ駆動部とを結ぶ電力線の少なくとも１つに直列接続されたスイッチと、
前記モータの近傍に設けられ、前記パルス発生部からのパルス信号を受信したときにのみ前記スイッチをオンさせるスイッチ制御部を備えたことを特徴とする。
【０００９】
請求項２の発明は、請求項２に記載の電気錠装置において、
少なくとも前記制御部、前記モータ駆動部及び前記パルス発生部は、同一の制御側基板上に設けられ、
前記スイッチ及び前記スイッチ制御部は、前記モータ近傍に設けられたモータ側基板上に設けられ、
前記制御側基板と前記モータ側基板とが、それぞれコネクタ及びケーブルを介して接続されていることを特徴とする。
【００１０】
請求項３の発明は、請求項１又は請求項２に記載の電気錠装置において、
前記モータと前記モータ駆動部とを結ぶ電力線及び前記パルス発生部と前記スイッチ制御部を結ぶ信号線は、複数の電線を１つに束ねたワイヤーハーネスであることを特徴とする。
【００１１】
請求項４の発明は、電気錠装置であって、
扉付近に設置され、扉を開こうとする使用者に関する情報を認証する使用者情報認証部と、
前記扉に設置され、錠を施錠及び解錠するためのモータと、
前記使用者情報認証部により読み取られた使用者情報とあらかじめ設定されている使用者情報とを比較して解錠するか否かを判断し、解錠すると判断した場合に、前記電気錠を解錠するように前記モータを制御するために所定の制御信号を発生する制御部と、
前記制御部からの制御信号に応じて所定のパルス信号を発生するパルス発生部と、
前記モータの近傍に設けられ、前記制御部からの制御信号に応じてモータを駆動するモータ駆動部と、
前記モータ駆動部の近傍に設けられ、前記制御部と前記モータ駆動部とを結ぶ信号線の少なくとも１つに直列接続されたスイッチと、
前記モータの近傍に設けられ、前記パルス発生部からのパルス信号を受信したときにのみ前記スイッチをオンさせるスイッチ制御部を備えたことを特徴とする。
【００１２】
請求項５の発明は、請求項４に記載の電気錠装置において、
少なくとも前記制御部及び前記パルス発生部は、同一の制御側基板上に設けられ、
前記スイッチ、前記スイッチ制御部及び前記モータ駆動部は、前記モータ近傍に設けられたモータ側基板上に設けられ、
前記制御側基板と前記モータ側基板とが、それぞれコネクタ及びケーブルを介して接続されていることを特徴とする。
【００１３】
請求項６の発明は、請求項４又は請求項５に記載の電気錠装置において、
前記制御部と前記モータ駆動部とを結ぶ信号線及び前記パルス発生部と前記スイッチ制御部を結ぶ信号線は、複数の電線を１つに束ねたワイヤーハーネス又は複数の電線を１つに束ねたフレキシブルフラットケーブルであることを特徴とする。
【００１４】
請求項７の発明は、請求項４乃至請求項６のいずれか１項に記載の電気錠装置において、
前記制御信号は２ビット以上の信号であり、前記スイッチが設けられている信号線に接続された前記モータ駆動部の端子の電圧は、前記スイッチがオフの状態ではハイレベルであり、前記スイッチがオンしたときにローレベルになり、
前記モータ駆動部は、前記端子の電圧がローレベルになったときにのみ、前記電気錠を解錠する方向に前記モータを回転させることを特徴とする。
【発明の効果】
【００１５】
請求項１の発明によれば、侵入者が、モータとモータ駆動部とを結ぶ電力線を切断し、電力線の芯線に電池を接続してモータに電力を供給しようとしても、所定のパルス信号が発生されない限りスイッチはオンにならないので、モータには電力は供給されず、電気錠は解錠されず、扉は開かない。このスイッチは、モータの近傍、すなわち侵入者が直接操作できない場所に設けられており、所定のパルス信号を出力しない限りオンさせることはできない。ところが、パルス発生部からは所定のパルス信号は発生されないので、侵入者は電気錠を解錠して部屋の内部に侵入することはできない。
【００１６】
一般的に、侵入者が外部から電気錠を解錠して部屋の内部に侵入しようとするとき、扉の外側に設置された制御側基板を破壊すると考えられる。請求項２の発明によれば、パルス発生部は制御側基板に設けられているので、制御側基板が破壊されると、パルス発生部からパルス信号が発生されることは無く、スイッチがオンされることもない。そのため、モータには電力は供給されず、電気錠は解錠されず、扉は開かない。
【００１７】
請求項３の発明によれば、モータとモータ駆動部とを結ぶ電力線及びパルス発生部とスイッチ制御部を結ぶ信号線がワイヤーハーネスとして１つに束ねられているので、モータとモータ駆動部とを結ぶ電力線を切断すると、パルス発生部とスイッチ制御部を結ぶ信号線も同時に切断される。そのため、モータには電力は供給されず、電気錠は解錠されず、扉は開かない。
【００１８】
請求項４の発明によれば、モータ駆動部がモータ近傍に設けられているため、侵入者が、モータとモータ駆動部とを結ぶ電力線を切断し、モータに直接電力を供給して電気錠を解錠することはできない。仮に、制御部とモータ駆動部を結ぶ信号線に制御信号を印加できたとしても、所定のパルス信号が発生されない限りスイッチはオンにならないので、モータ駆動部には制御信号は印加されず、電気錠は解錠されない。このスイッチも、モータの近傍、すなわち侵入者が直接操作できない場所に設けられており、所定のパルス信号を出力しない限りオンさせることはできない。ところが、パルス発生部からは所定のパルス信号は発生されないので、侵入者は電気錠を解錠して部屋の内部に侵入することはできない。
【００１９】
一般的に、侵入者が外部から電気錠を解錠して部屋の内部に侵入しようとするとき、扉の外側に設置された制御側基板を破壊すると考えられる。請求項５の発明によれば、パルス発生部は制御側基板に設けられているので、制御側基板が破壊されると、パルス発生部からパルス信号が発生されることは無く、スイッチがオンされることもない。そのため、モータには電力は供給されず、電気錠は解錠されず、扉は開かない。
【００２０】
請求項６の発明によれば、制御部とモータ駆動部とを結ぶ信号線及びパルス発生部とスイッチ制御部を結ぶ信号線が複数の電線を１つに束ねたワイヤーハーネス又は複数の電線を１つに束ねたフレキシブルフラットケーブルであるので、これらワイヤーハーネス又はフレキシブルフラットケーブルを切断すると、制御部とモータ駆動部を結ぶ信号線及びパルス発生部とスイッチ制御部を結ぶ信号線が同時に切断される。そのため、モータには電力は供給されず、電気錠は解錠されず、扉は開かない。
【００２１】
請求項７の発明によれば、制御信号は２ビット以上の信号とすることにより、電気錠装置の回路構成を簡単にすることができ、かつモータの制御が容易になるというメリットを有する反面、モータ駆動部の各端子の電圧を適宜組み合わせることにより、モータを駆動することが可能であるというデメリットを有する。しかしながら、スイッチが設けられている信号線に接続されたモータ駆動部の端子の電圧は、スイッチがオフの状態ではハイレベルであり、スイッチがオンしたときにローレベルになり、かつモータ駆動部は、前記端子の電圧がローレベルになったときにのみ、電気錠を解錠する方向に前記モータを回転させるように設定されているので、仮にモータが回転しても電気錠が施錠される方向に回転し、電気錠は決して解錠されない。そのため、侵入者は電気錠を解錠して部屋の内部に侵入することはできない。
【００２２】
なお、上記いずれの場合も、パルス発生部とスイッチ制御部を結ぶ信号線を切断し、この信号線に所定のパルス信号を印加することにより、スイッチをオンさせることは理論的には可能であるが、通常、侵入者はパルス発生装置を所有しておらず、また、仮にパルス発生装置を所有していたとしても、所定のパルス信号の周波数、パルス幅及びパルス数などは未知である。そのため、侵入者は電気錠を解錠して部屋の内部に侵入することはできず、セキュリティが維持される。仮に、侵入者が所定のパルス信号の周波数、パルス幅及びパルス数などを探り当てようとしても、探り当てるまでに時間を要する。従って、その間、他のセンサなどにより侵入者が発見されるか、あるいは、侵入者が侵入をあきらめて逃走すると考えられる。
【発明を実施するための最良の形態】
【００２３】
（第１実施形態）
本発明の第１実施形態に係る電気錠装置について、図１及び図２を参照しつつ説明する。図１は、例えばマンションなどの個々の部屋の扉に設置された電気錠装置の一構成例を示す図であり、図２はその電気的な構成を示すブロック図である。
【００２４】
第１実施形態に係る電気錠装置１は、扉の外側の操作部３の内部に設置された制御側基板１０と、扉の内側の駆動部４に設けられたモータ３０と、モータ３０の近傍に設置されたモータ側基板２０などで構成され、制御側基板１０とモータ側基板２０とをコネクタ１１及び２１とケーブル３１で接続している。駆動部４の内部において、モータ３０はサムターン５を回転駆動しうるように、歯車などを介して連結されている。制御側基板１０は、使用者情報認証部１２と、使用者情報認証部１２により読み取られた使用者情報とあらかじめ設定されている使用者情報とを比較して解錠するか否かを判断し、解錠すると判断した場合に、電気錠を解錠するようにモータ３０を制御するために所定の制御信号を発生する制御部１３と、制御部１３からの制御信号に応じてモータを駆動するモータ駆動部１４と、制御部１３からの制御信号に応じて所定のパルス信号を発生するパルス発生部１５などで構成されている。なお、電源は図示を省略する。
【００２５】
使用者情報認証部１２は、扉を開こうとする使用者に関する情報を認証する装置であり、例えば磁気カードリーダや非接触カードリーダなどの解錠鍵と、例えば暗証番号を入力するためのテンキー又は指紋や静紋を認識するための認識装置などで構成されている。制御部１３は、例えば制御プログラムや使用者情報などを記憶したＲＯＭやＲＡＭなどの記憶部と、制御プログラムを実行するＣＰＵなどの演算部で構成されている。制御部１３は、使用者情報認証部１２により読み取られた使用者情報と、記憶部にあらかじめ記憶されている使用者情報を比較し、両者が一致したときは、所定の制御信号を出力する。一方、使用者情報が一致しないときは、制御部１３は、使用者による解錠動作を無視して、制御信号を出力しない。
【００２６】
モータ駆動部１４は、モータ３０の種類に応じた専用の駆動ＩＣなどで構成され、制御部１３から所定の制御信号が出力された場合にのみ、モータ３０を正転及び反転させるための駆動信号を発生させ、ケーブル３１を介してモータ３０に供給する。モータ３０としては、制御及び配線が簡単なＤＣサーボモータが用いられるが、ブラシレスＤＣモータなどその他の種類のモータを用いることも可能である。
【００２７】
パルス発生部１５は、例えば所定周波数、所定電圧及び所定幅の矩形パルスを発生させるための発振器などで構成されており、制御部１３からの制御信号に応じて所定の矩形パルス信号を発生させる。この矩形パルス信号は、電気錠の解錠動作中連続的に発生されていても良いし、電気錠の解錠動作に先立って、所定パルス数だけ発生されてもよい。また、矩形パルス信号の周波数及び幅は、個々の電気錠装置ごとに固有のものであってもよいし、電気錠装置に関わらず、一定であってもよい。また、一定期間毎に矩形パルス信号の周波数及び幅を変化させてもよい。さらに、パルス発生部１５は、上記制御部１３と一体的に構成し、ＣＰＵを動作させるクロックを用いて、パルス信号を発生させてもよい。
【００２８】
モータ側基板２０は、モータ３０の近傍に設けられており、その上にモータ３０とモータ駆動部１４とを結ぶ電力線の少なくとも１つに直列接続されたスイッチ２２と、パルス発生部１５からのパルス信号を受信したときにのみスイッチ２２をオンさせるスイッチ制御部２３が設けられている。スイッチ制御部２３は、例えばタイマー及びＣＰＵなどで構成されたデコーダであり、ケーブル３１を介してパルス発生部１５から送信されたパルス信号の周波数、電圧及び幅を復調し、所定の矩形パルス信号であるか否かを判別する。そして、所定の矩形パルス信号である場合にのみ、スイッチ２２をオンさせる。なお、スイッチ２２は、電力線のいずれか１つにのみ設けられていてもよいし、２以上の電力線に設けられていてもよい。ただし、スイッチ２２は、電力線の少なくとも１つに設けられていれば、本発明の目的を達成することが可能である。
【００２９】
正規の使用者が電気錠を解錠して扉を開こうとする場合、使用者情報認証部１２により読み取られた使用者情報と、記憶部にあらかじめ記憶されている使用者情報が一致するので、制御部１３は電気錠を解錠するための所定の制御信号を出力する。それにより、パルス発生部１５は所定のパルス信号を発生し、スイッチ制御部２３はスイッチ２２をオンさせる。また、モータ駆動部１４は、電気錠を解錠するためにモータ３０を正転させるように、駆動信号を出力する。このとき、スイッチ２２がオンしているので、モータ３０は正転駆動され、サムターン５が解錠方向に回転され、テッドボルト６が扉２の内側に引き込まれ、電気錠が解錠される。図示しないセンサにより扉が閉じられたことが確認されると、制御部１３は、電気錠を施錠するための制御信号を出力し、モータ駆動部１４は、モータ３０を反転させるように、駆動信号を出力する。そうすると、サムターンが施錠方向に回転され、テッドボルト６が扉２から外側に突出し、電気錠が施錠される。
【００３０】
一方、不正な使用者が電気錠を解錠して扉を開こうとする場合、使用者情報認証部１２により読み取られた使用者情報と、記憶部にあらかじめ記憶されている使用者情報が一致しないので、制御部１３は使用者による解錠動作を無視して、電気錠を解錠するための所定の制御信号を出力しない。侵入者が強引に電気錠を解錠しようとする場合、侵入者は制御側基板１０の蓋をこじ開け、モータ３０とモータ駆動部１４とを結ぶケーブル３１を切断し、切断部分からケーブル３１の芯線（電力線）に電池を接続して電力を供給しようとすると考えられる。しかしながら、第１実施形態によれば、パルス発生部１５から所定のパルス信号が発生されない限りスイッチ２２はオンにならないように構成されており、かつ、使用者情報認証部１２により読み取られた使用者情報と、記憶部にあらかじめ記憶されている使用者情報が一致しないので、制御部１３は所定の制御信号を出力せず、パルス発生部１５は所定のパルス信号を発生しない。そのため、ケーブル３１の切断部からモータ３０に電力を供給しようとしても、スイッチ２２がオフ状態のままであるため、モータ３０には電力は供給されず、電気錠は解錠されない。このスイッチ２２は、モータ３０の近傍、すなわち侵入者が直接操作できない場所に設けられているため侵入者はこのスイッチ２２をオンすることができない。その結果、侵入者は電気錠を解錠して部屋の内部に侵入することはできない。
【００３１】
また、パルス発生部１５は制御側基板１０に設けられているので、侵入者が扉の外側の操作部３の制御側基板１０を破壊したとすると、パルス発生部１５も破壊され、パルス信号が発生されることは無い。さらに、モータ３０とモータ駆動部１４とを結ぶ電力線及びパルス発生部１５とスイッチ制御部２３を結ぶ信号線がワイヤーハーネスとしてケーブル３１に１つに束ねられているので、モータ３０とモータ駆動部１４とを結ぶ電力線を切断すると、パルス発生部１５とスイッチ制御部２３を結ぶ信号線も同時に切断される。その結果、スイッチ２２がオンされることはなく、モータ３０には電力は供給されず、電気錠は解錠されない。このように、第１実施形態の構成によれば、モータ３０を不正に駆動させないための安全対策が何重にも施されているため、侵入者の不正侵入を防止することが可能な電気錠装置が得られる。
【００３２】
（第２実施形態）
本発明の第２実施形態に係る電気錠装置について、図３を参照しつつ説明する。第２実施形態に係る電気錠装置１は、上記第１実施形態の場合と比較して、モータ駆動部２４がモータ側基板２０に設けられており、スイッチ２２が、制御部１３と前記モータ駆動部とを結ぶ信号線の少なくとも１つに直列接続されている点及びケーブル３１は、制御部１３とモータ駆動部２４とを結ぶ信号線及びパルス発生部１５とスイッチ制御部２３を結ぶ信号線であり、複数の電線を１つに束ねたワイヤーハーネス又は複数の電線を１つに束ねたフレキシブルフラットケーブルである点が異なる。その他の点は、上記第１実施形態の場合と同様であるため、説明を省略する。
【００３３】
第２実施形態によれば、モータ駆動部２４がモータ３０の近傍に設けられているため、侵入者が、モータ３０とモータ駆動部２４とを結ぶ電力線を切断し、モータ３０に直接電力を供給して電気錠を解錠することはできない。また、仮に、制御部１３とモータ駆動部２４を結ぶ信号線に制御信号を印加できたとしても、所定のパルス信号が発生されない限りスイッチ２２はオンにならないので、モータ駆動部２４には制御信号は印加されず、電気錠は解錠されない。このスイッチ２２も、モータ３０の近傍、すなわち侵入者が直接操作できない場所に設けられており、所定のパルス信号を出力しない限りオンさせることはできない。ところが、パルス発生部１５からは所定のパルス信号は発生されないので、侵入者は電気錠を解錠して部屋の内部に侵入することはできない。また、ケーブル３１は、複数の電線を１つに束ねたワイヤーハーネス又は複数の電線を１つに束ねたフレキシブルフラットケーブルであるので、これらワイヤーハーネス又はフレキシブルフラットケーブルを切断すると、制御部１３とモータ駆動部２４を結ぶ信号線及びパルス発生部１５とスイッチ制御部２３を結ぶ信号線が同時に切断される。そのため、モータ３０には電力は供給されず、電気錠は解錠されない。
【００３４】
ここで、制御部１３から出力される制御信号を、例えば２ビットの信号（０１、１１など）とすることにより、電気錠装置の回路構成を簡単にすることができ、かつモータ３０の制御が容易になるというメリットを有する。一方、制御信号を２ビットの信号にすると、モータ駆動部２４の各端子の電圧を適宜組み合わせることにより、モータ３０を駆動することが可能であるというデメリットを有する。そこで、スイッチ２２が設けられている信号線に接続されたモータ駆動部２４の端子の電圧を、例えばスイッチ２２がオフの状態ではハイレベルであり、スイッチ２２がオンしたときにローレベルになり、かつモータ駆動部２４は、その端子の電圧がローレベルになったときにのみ、電気錠を解錠する方向にモータ３０を回転させるように設定さすることにより、仮にモータ３０が回転しても電気錠が施錠される方向に回転し、電気錠は決して解錠されないように構成することができる。その結果、侵入者が電気錠を解錠して部屋の内部に侵入することを防止することができる。なお、制御信号はこのような２ビットの信号に限定されず、３ビット以上の信号であってもよい。
【００３５】
なお、上記第１実施形態及び第２実施形態のいずれの場合でも、パルス発生部１５とスイッチ制御部２３を結ぶ信号線を切断し、この信号線に所定のパルス信号を印加することにより、スイッチをオンさせることは理論的には可能であるが、通常、侵入者はパルス発生装置を所有しておらず、また、仮にパルス発生装置を所有していたとしても、所定のパルス信号の周波数、パルス幅及びパルス数などは未知である。そのため、侵入者は電気錠を解錠して部屋の内部に侵入することはできず、セキュリティが維持される。さらに、仮に、侵入者が所定のパルス信号の周波数、パルス幅及びパルス数などを探り当てようとしても、探り当てるまでに時間を要する。従って、その間、他のセンサなどにより侵入者が発見されるか、あるいは、侵入者が侵入をあきらめて逃走すると考えられる。
【００３６】
以上のように、本発明によれば、比較的簡単かつ安価な構成、例えば、電池で駆動可能なＤＣモータと２ビット制御信号によるきわめて簡易な構成であっても、侵入者による不正に解錠されることがない、セキュリティ性に優れた電気錠装置を得ることができる。
【００３７】
また、上記実施形態の説明では、操作部３及びその内部の制御側基板１０、使用者情報認証部１２、制御部１３などを扉２に直接設けた例を示したが、本発明はこれに限定されるものではなく、これらを扉近傍の壁面などに設けてもよい。また、モータ３０でサムターン５を回転駆動させるように構成した例を示したが、これに限定されるものではなく、モータ３０を扉２の内部に設置し、モータで直接テッドボルト６などを駆動するように構成してもよい。
【図面の簡単な説明】
【００３８】
【図１】扉に設置された電気錠装置の一構成例を示す図。
【図２】本発明の第１実施形態に係る電気錠装置のブロック構成を示す図。
【図３】本発明の第２実施形態に係る電気錠装置のブロック構成を示す図。
【図４】従来の電気錠装置のブロック構成を示す図。
【符号の説明】
【００３９】
１  電気錠装置
２  扉
３  操作部
４  駆動部
５  サムターン
６  テッドボルト
１０  制御側基板
１２  使用者情報認証部
１３  制御部
１４  モータ駆動部
１５  パルス発生部
２０  モータ側基板
２２  スイッチ
２３  スイッチ制御部
２４  モータ駆動部
３０  モータ
３１  ケーブル
【図１】
2009108645.tif 000003
【図２】
2009108645.tif 000004
【図３】
2009108645.tif 000005
【図４】
2009108645.tif 000006